(57)【要約】ボトル、缶、または類似の容器のような製品用のコンベア区間部分に関するもので、少なくとも一つの調整用駆動装置で操作でき移送方向と直角に調整可能な少なくとも一つのガイドバーの付いているものである。ガイドバーまたは少なくとも一つの調整用駆動装置の調整範囲において、調整路の事前に設定した多数の位置に選択して来させてこれを制限するストッパーを、種々のガイドバー位置を決めるために配置している。
2006525926.tif 000002
【特許請求の範囲】
【請求項１】
少なくとも一つの調整用駆動装置（２）で操作可能であり移送方向に直角に調整可能な少なくとも一つのガイドバー（６）のついた、ボトル、缶、または類似容器のような製品（１６）用のコンベア区間部分（１）であって、
ガイドバー（６）または少なくとも一つの調整用駆動装置（２）の調整範囲（Ｓ）において、事前に設定した多数の位置（７、７'、７''）で選択して調整範囲（Ｓ）に来させてこれを制限するストッパー（８ａ、８ｂ、８ｃ）を、異なったガイドバー位置に決めるために配置していることを特徴とするコンベア区間部分。
【請求項２】
少なくとも２つのストッパー（８ａ、８ｂ）を設けていることを特徴とする請求項1に記載のコンベア区間部分。
【請求項３】
ストッパー（８ａ、８ｂ、８ｃ）を手動または制御して事前に設定した位置（７、７'、７''）の来させることができることを特徴とする請求項1または２に記載のコンベア区間部分。
【請求項４】
事前に設定した位置（７、７'、７''）にあるストッパー（８ａ、８ｂ、８ｃ）を、手動および／または制御して調整範囲（Ｓ）に来させることができることを特徴とする請求項1から３の何れかに記載のコンベア区間部分。
【請求項５】
ガイドバー（６）または調整用駆動装置（２）に、ストッパー（８ａ、８ｂ、８ｃ）により指定位置（８）にすることができ調整運動で動く少なくとも一つの反対ストッパー（１１）を配置していることを特徴とする請求項1から４の何れかに記載のコンベア区間部分。
【請求項６】
反対ストッパー（１１）には、調整路に関して、お互いに反対方向を向く少なくとも二つのストッパー面（１１ａ、１１ｂ）を有することを特徴とする請求項５に記載のコンベア区間部分。
【請求項７】
調整用駆動装置（２）が、直線駆動装置好ましくはシリンダー本体（９）およびピストンバー（１０）を有するシリンダー要素（Ｚ）のついた両方向に働くエアシリンダーであり、エアシリンダーのシリンダー要素（Ｚ）に事前に設定した位置（７、７'、７''）を軸方向に取り付けたストッパーホルダー（Ａ）として、直線駆動装置と関連配置していることを特徴とする請求項1から６のいずれかに記載のコンベア区間部分。
【請求項８】
事前に設定した位置（７、７’、７”）を、ストッパー（８ａ、８ｂ、８ｃ）が形状的にぴったりと挿入される穴の形状で設けていることを特徴とする請求項1から７のいずれかに記載のコンベア区間部分。
【請求項９】
事前に設定した位置（７、７'、７''）を、ストッパーホルダー（Ａ）において軸方向で調整路（Ｓ）の長手方向にオフセットした多数の穴の形状により、ストッパーホルダー（Ａ）の軸方向でお互いにオフセット配置した少なくとも２つの穴の列により構成していることを特徴とする請求項1から８のいずれかに記載のコンベア区間部分。
【請求項１０】
ストッパー（８ａ、８ｂ）を、形状的にぴったりした挿入要素またはネジ要素殊にピンで構成していることを特徴とする請求項1から９のいずれかに記載のコンベア区間部分。
【請求項１１】
ストッパー（８ａ、８ｂ、８ｃ）を、制御して操作できるエアシリンダーで構成していることを特徴とする請求項４から１０のいずれかに記載のコンベア区間部分。
【請求項１２】
ストッパー（８ａ、８ｂ、８ｃ）を、ストッパーホルダー（Ａ）のネジ穴（７、７'、７''）にネジ込むことができることを特徴とする請求項７から１１のいずれかに記載のコンベア区間部分。
【請求項１３】
ストッパーホルダー（Ａ）には、シリンダー本体（９）と並んだ軸方向の穴（１３）があることを特徴とする請求項７から１２のいずれかに記載のコンベア区間部分。
【請求項１４】
穴（１３）はピストンバー（１０）と同軸で配置されており、これが少なくとも部分的に貫通していることを特徴とする請求項１３に記載のコンベア区間部分。
【請求項１５】
穴（１３）の内径（Ｄ）がピストンバー（１０）の外径（ｄ）より大きく、それによりリング状空間（１４）を備えていることを特徴とする請求項1３または１４に記載のコンベア区間部分。
【請求項１６】
ストッパー（８ａ、８ｂ、８ｃ）を入れる穴（７、７'、７''）は、当接位置または作動位置にあるストッパー（８ａ、８ｂ、８ｃ）が、その長手方向にほぼ直角にリング状空間（１４）を貫通するように、リング状空間（１４）に関連して配置されていることを特徴とする請求項８から１５のいずれかに記載のコンベア区間部分。
【請求項１７】
ストッパーホルダー（Ａ）が、シリンダー本体（９）に形状的にぴったり嵌る芯だし突起を有することを特徴とする請求項1３から１６のいずれかに記載のコンベア区間部分。
【請求項１８】
反対ストッパー（１１）がピストンバー（１０）に固定されストッパーホルダー（Ａ）の内部でガイドされていることを特徴とする請求項５から１７のいずれかに記載のコンベア区間部分。
【請求項１９】
反対ストッパー（１１）がピストンバー（１０）によりストッパーホルダー（Ａ）の調整路（Ｓ）の全長に亘って軸方向移動できることを特徴とする請求項1３から１８のいずれかに記載のコンベア区間部分。
【請求項２０】
調整可能なガイドバー（６）が移送方向に平行に間隔を有してペアで対向して並ぶように配置されていることを特徴とする請求項1から１９のいずれかに記載のコンベア区間部分。
【請求項２１】
移送する製品（１６）、殊にボトルには縁部があり、それを使って間隔を有して平行に走る保持縁部（１５）に吊して移送することを特徴とする請求項1から２０のいずれかに記載のコンベア区間部分。
【請求項２２】
製品（１６）をエアガイドボックス（３）の下方に吊して移送するように、保持縁部（１５）を設けていることを特徴とする請求項２１に記載のコンベア区間部分。
【請求項２３】
移送方向に走るノズルチャネル（４）に、製品（１６）上で移送方向に設けた噴射ノズルを備えていることを特徴とする請求項２1または２２に記載のコンベア区間部分。
【請求項２４】
移送する製品（１６）、殊に容器がコンベア上を立っている状態で移送されることを特徴とする請求項1から２０のいずれかに記載のコンベア区間部分。
【請求項２５】
ボトル、缶、または類似の容器のような製品用のコンベア区間部分の調整可能なガイドバーを操作し位置決めする調整用駆動装置であって、
事前に設定した位置（７、７’、７”）に配置可能であり、選択的に調整用駆動装置（２）の調整路に設けることができこれを制限するストッパー（８ａ、８ｂ、８ｃ）を、種々の位置で決めるために設けていることを特徴とする調整用駆動装置。
【請求項２６】
少なくとも二つのストッパー（８ａ、８ｂ）を備えていることを特徴とする請求項２５に記載の調整用駆動装置。
【請求項２７】
ストッパー（８ａ、８ｂ、８ｃ）を、手動または制御して操作可能で事前に設定した位置（７、７'、７''）に来させられることを特徴とする請求項２５または２６に記載の調整用駆動装置。
【請求項２８】
ストッパー（８ａ、８ｂ、８ｃ）を手動および／または制御して操作可能で調整路（Ｓ）に来させられることを特徴とする請求項２５から２７のいずれかに記載の調整用駆動装置。
【請求項２９】
調整路（Ｓ）において、ストッパー（８ａ、８ｂ、８ｃ）により規定位置（８）に来させることができ、かつ調整運動で動く少なくとも一つの反対ストッパー（１１）を配置していることを特徴とする請求項２５から２８のいずれかに記載の調整用駆動装置。
【請求項３０】
反対ストッパー（１１）が、調整路（Ｓ）に関して、お互いに反対方向を向く少なくとも二つのストッパー面（１１ａ、１１ｂ）を有することを特徴とする請求項２９に記載の調整用駆動装置。
【請求項３１】
調整用駆動装置が、直線駆動装置好ましくはシリンダー本体（９）とピストンバー（１０）のあるシリンダー要素（Ｚ）のついた両方向に働くエアシリンダーであり、事前に設定した位置（７、７'、７''）が、好ましくは軸方向にエアシリンダーのシリンダー要素（Ｚ）に取り付けたストッパーホルダー（Ａ）として、エアシリンダーと関連配置されていることを特徴とする請求項２５から３０のいずれかに記載の調整用駆動装置。
【請求項３２】
事前に設定した位置（７、７'、７''）が、ストッパー（８ａ、８ｂ、８ｃ）が形状的にぴったりと挿入される穴の形状で設けられていることを特徴とする請求項２５から３１のいずれかに記載の調整用駆動装置。
【請求項３３】
事前に設定した位置（７、７'、７''）を、ストッパーホルダー（Ａ）において軸方向でオフセットした多数の穴、好ましくはストッパーホルダー（Ａ）の軸方向でお互いにオフセット配置した少なくとも２つの穴の列の形状により構成していることを特徴とする請求項３1または３２に記載の調整用駆動装置。
【請求項３４】
ストッパー（８ａ、８ｂ、８ｃ）を、形状的にぴったりした挿入要素またはネジ要素、殊にピンで構成していることを特徴とする請求項２５から３３のいずれかに記載の調整用駆動装置。
【請求項３５】
ストッパー（８ｃ）を、制御して操作できるエアシリンダーで構成していることを特徴とする請求項２８から３４のいずれかに記載の調整用駆動装置。
【請求項３６】
ストッパー（８ａ、８ｂ、８ｃ）を、ストッパーホルダー（Ａ）のネジ穴（７、７'、７''）にネジ込むことができることを特徴とする請求項３１から３５のいずれかに記載の調整用駆動装置。
【請求項３７】
ストッパーホルダー（Ａ）には、シリンダー本体（９）と並んだ軸方向の穴（１３）があることを特徴とする請求項３１から３６のいずれかに記載の調整用駆動装置。
【請求項３８】
穴（１３）はピストンバー（１０）と同軸で配置されており、これが少なくとも部分的に貫通していることを特徴とする請求項３７に記載の調整用駆動装置。
【請求項３９】
穴（１３）の内径（Ｄ）がピストンバー（１０）の外径（ｄ）より大きく、その間にリング状空間（１４）を備えていることを特徴とする請求項３７または３８に記載の調整用駆動装置。
【請求項４０】
ストッパー（８ａ、８ｂ、８ｃ）を入れる穴（７、７'、７''）は、当接位置または作動位置にあるストッパー（８ａ、８ｂ、８ｃ）がその長手方向にほぼ直角にリング状空間（１４）を貫通するように、リング状空間（１４）に関連配置されていることを特徴とする請求項３９に記載の調整用駆動装置。
【請求項４１】
ストッパーホルダー（Ａ）が、シリンダー本体（９）に形状的にぴったり嵌る芯だし突起（１２）を有することを特徴とする請求項３１から４０のいずれかに記載の調整用駆動装置。
【請求項４２】
反対ストッパー（１１）がピストンバー（１０）に固定されており、ストッパーホルダー（Ａ）の内部で案内されていることを特徴とする請求項３１から４１のいずれかに記載の調整用駆動装置。
【請求項４３】
反対ストッパー（１１）のついたピストンバー（１０）がストッパーホルダー（Ａ）の全長に亘って軸方向に移動できることを特徴とする請求項３１から４２のいずれかに記載の調整用駆動装置。
【請求項４４】
ガイドバー（６）が少なくとも一つの調整用駆動装置（２'）により移送する製品の竪軸の長手方向に高さを調整でき、ガイドバー（６）または少なくとも一つの調整用駆動装置（２'）の竪方向調整経路（Ｖ）で、調整路（Ｖ）の事前に設定した多数の位置（７、７'、７''）に選択的に来させることができこれを制限するストッパー（８ａ、８ｂ、８ｃ）を、種々のガイドバー位置を決めるために配置できることを特徴とする請求項１から２４のいずれかに記載のコンベア区間部分。
【発明の詳細な説明】
【技術分野】
【０００１】
本発明は、特許請求範囲１のプレアンブルによる、ボトル、缶、または類似容器のような製品用のコンベア区間部分、および特許請求範囲２５のプレアンブルによる調整用駆動装置に関するものである。
【背景技術】
【０００２】
ボトルまたは類似容器用のコンベア区間での調整可能なガイドバーは、コンベア幅、すなわち異なった直径の容器でのガイドバー間隔に合わせるためのものが公開されている。ここで挙げたガイドバーは、容器を移送経路において側面でガイドし、例えば混み合った時に詰まりを招き兼ねない移送方向に直角な転倒を防ぐ役割をする。公知のケースでは、ガイドバーの調整をエアシリンダーにより行い、その終端は異なった２カ所だけを設定することができる。さらに、２カ所以上を可能にするために、多数のエアシリンダーを繋ぐ方法も公開されている。この解決手段は組立が面倒であり、空間を必要とし、大きな制御技術的手間の原因となる。
【０００３】
【特許文献１】ドイツ国特許公開第４３ ３０ ７０２ Ａ１
【特許文献２】ドイツ国特許第６９７ ０９ ９４３ Ｔ２
【特許文献３】米国特許第６ ３８２ ８８２ Ｂ１
【発明の開示】
【発明が解決しようとする課題】
【０００４】
本発明の課題は、構造的に簡単な構成で事前に設定できる種々の横方向の設定と正確な固定を可能にするような、調整可能なガイドバーおよびそのための調整用駆動装置を提供することである。
【発明の効果】
【０００５】
この課題は、請求項１ないし２５に記載の発明の特徴により解決される。
【０００６】
それぞれの処理する製品形式に対して、ガイドバーまたはガイドバーを操作する調整用駆動装置の調整路において、準備態勢から手動により又は制御して調整路で当たる作動位置または通過することができるストッパー用の、事前に設定した固定位置を設けている。理想的な場合、設定した両方の位置の間で出し入れできる独自のストッパーをそれぞれの位置に関連して配置しており、それが調整運動で動く反対ストッパーにより設定された位置にすることができる。
【０００７】
しかし、手動または例えばマニピュレーターにより制御してガイドバーの設定を決める種々の位置にストッパーを設けるときには、少ない数のストッパーで充分なこともある。手動でストッパーを切り替える場合には、例えばカラーまたは別の適切なマーキング方法により、それぞれの相当する位置に異なった製品形式に合わせた識別記号を設けてもよい。
【０００８】
使用する調整用駆動装置で決まる構造的な終端とは関係なく、手動で操作できる２つのストッパーだけで、ガイドバーを最大と最小の製品形式に相当する位置に決めることで充分なこともある。その間にある位置の別の製品形式に対して、特に制御して操作できるストッパーがあると好都合である。それは、制御操作できるストッパーと調整用駆動装置をメモリープログラム可能な制御と接続して、手で触ることなく迅速に切り替えて、異なった少なくとも３カ所のガイドバー位置を固定できるからである。そして、形式の切り替えを最短時間で制御指示だけで自動的に行うことができる。
【０００９】
好ましい構成によれば、ガイドバー調整のために機能する調整用駆動装置はリニア駆動装置としている。その調整軸を理想的にはコンベア区間部分の移送方向に直角に走るように配置しているので、同時にガイドバーホルダーの役割を持たせることができる。ストッパー用の事前に設定した位置は、直線駆動装置またはガイドバーの調整路で調整軸に対して直角に配置している。直線駆動装置に対する位置を、例えば位置を決めるストッパーホルダーにより、直接並べた配置を行うと好都合である。ストッパーホルダーを、直線駆動装置に対する相対的な位置がずれないように固定できる直線駆動装置と一体化した構成部品または組み付け部品として設計することができる。
【００１０】
一つのシリンダー要素およびピストンバー付きでその中において同軸で動くように案内されたピストンを有し好ましくは両方向に働くエアシリンダーが、直線駆動装置のコスト的に有利な構成を示しており、そのときにシリンダー要素にはシリンダーハウジングの構成部品を形成するストッパーホルダーが軸方向に一列に付けられており、長さを伸ばしたピストンバーが貫通できる軸方向の穴を有している。この軸方向の穴の直径は、好ましくはピストンバーの直径より大きく選び、それによりストッパーの貫通できるリング状空間ができる。軸方向穴の範囲で、ピストンバーには、これと一緒に動けるように接続した反対ストッパーがあり、好ましくはディスク形状、そして軸方向穴の内径にほぼ相当する外径を有している。軸方向の穴の長さが少なくともエアシリンダー最大調整路に相当するときには、事前設定が可能でありストッパーを受けるために構成した位置用の全調整路を使用することができる。
【００１１】
上述の位置を、調整路ないし軸方向穴に直角に延在する穴で構成していると好ましい。それは、ストッパーホルダーの外径面の一方から外径面の反対側に至るまで貫通し、リング状空間と関連配置して走るように構成している。例えばニードル形状のピンをその穴に、リング状空間を貫通し反対ストッパーの移動経路上に突出するストッパー体として、形状的にぴったりと挿入可能である。調整路の長手方向に走る列、または平行な複数の列で多数の穴を配置することも可能であり、それにより穴の列をずれて配置して、軸方向に非常に近接したストッパー用位置の実現を可能にする。ストッパーホルダーの外径面の全周を、このために使用することができる。それにより各位置を任意に例えば２．５ｍｍの間隔で決めることができる。理想的な場合には挿入要素により全ての位置をカバーすることが可能である。それにより、ガイドバー位置を移送方向に直角に多数の製品の大きさに適合させる可能性がある。
【００１２】
この解決手段により、非常にコンパクトで、機械的に簡単で、相当してコスト的に有利な、調整用駆動装置の構造が得られ、従来のエアシリンダーと比較して軸方向で僅かに長いことが求められるだけである。
【００１３】
固定のストッパーホルダーの本体には、上述の穴の他に、ノッチ、溝、スリット、または類似形状のような、ストッパー位置を決める可能性を使うこともできる。同様に、ストッパーとして、ネジ、ニードル、ディスク、リング、またはその他の要素のように、これに適切なものの全てを使用できる。
【００１４】
さらに別の利点のある構成を従属請求項に示している。
【発明を実施するための最良の形態】
【００１５】
以下に図を使って実施例を説明する。
（実施例１）
【００１６】
図１は、ボトル１６を保持リング１７に吊り下げて移送するエアコンベアの移送方向から見た竪方向断面図であり、調整用駆動装置２が間隔を有して平行に延伸するガイドバー６をその位置に固定している。調整用駆動装置２はそれぞれ、フランジプレート１８により竪方向支柱５に構造的にしっかりと取り付けることができるようになっている。フランジプレート１８には、それを竪方向支柱５に挟み付けるための固定用穴１９がある。異なったボトル高さに対応して、ガイドバー６を直接取り付けた調整駆動装置２の高さ調整を可能にするために、竪方向支柱５に設ける穴は長穴であると好ましい。
【００１７】
エアコンベア１には基本的に、詳細には図示していないが竪方向支柱により保持されており閉じられほぼU字形状をしたエアガイドボックス３があり、それには公知の方法で移送方向にずれて配置した図示していない多数のブロワーにより絶えずエアが供給される。エアガイドボックス３の下方には、屋根形状で内側向きに折り曲げたノズルチャネル４が、その下で平行に延伸しプラスチックボトルの保持リング１７の下方を掴むスライド縁１５と共に設けられており、その断面寸法はボトル１６の上部部分が全ての方向に動けるようなスペースができるようになっている。
【００１８】
エアガイドボックス３には移送方向の両側に規則的な間隔で、下方に延伸する竪方向支柱５が配置されており、移送方向に平行に延伸するガイドバー６が前述の調整用駆動装置２により横方向に調節できるようにそれに支持されている。同じ高さにあり対向するペアのガイドバー６が、ボトルの首部を案内するスライド縁１５と一緒でガイドチャネルを形成しており、それがボトル１６の横方向への揺れや脱落を防ぐ。
【００１９】
ガイドバー６は移送方向と直角に一定の間隔で設けられており、その間隔は輸送するボトル１６の外径寸法より僅かに大きい。ガイドバー６を保持するために、調整用駆動装置２は調整軸が直角となるように竪方向支柱５に設けられており、事前に設定した位置７、７'、７"以下、およびそれに挿入できるストッパー８ａ、８ｂ、８ｃのついたストッパーホルダーＡが、製品１６から離れるように位置している。直線的に動くエアシリンダーで構成した調整用駆動装置２のピストンバー１０は、そこでは水平に設けられている。
【００２０】
図２ａはエアの調整用駆動装置２を示しており、シリンダー本体９とピストン１０'付きでその中で軸方向に案内されるピストンバー１０で構成している。その終端が、ピストンバー１０の戻れる最大調整可能範囲Ｓを決めている（図２ｂ参照）。シリンダー本体９の一端には、形状的にぴったりとシリンダー本体９に嵌っているストッパーホルダーＡが、芯だし用突起１２を使って設けられている。ストッパーホルダーＡは、シリンダー本体９の反対側終端に位置するフランジプレート１８と、固定金具２０により軸方向に結合されている。フランジプレート１８には前述の固定用穴１９が加工されており、それはネジを使って調整用駆動装置２を、ガイドバー６に向かってピストンバー１０をフリーに貫通させためのスリットを有する竪方向支柱５に固定する役割をする。フランジプレート１８には、詳細に記載していない穴が中心にあり、ピストンバー１０がその中で軸方向に案内される。
【００２１】
ストッパーホルダーＡは、（図３から分かるように）６角形状をしていると好ましい。ストッパーホルダーＡの対向する二つの平行面に、事前に設定した位置７．．．７”’を貫通穴、ネジ穴、またはその他の窪み形状で設けている。事前に設定した位置７以下を、一連の穴の形式でストッパーホルダーＡの６面すべてに設けることも可能である。そのとき狭い間隔で位置を確保するために、例えば分割寸法の半分だけずらして配置した平行な２列として設けてもよい。
【００２２】
図２ｂは、ストッパーホルダーＡを通る軸方向の穴１３を明確に示す調整用駆動装置２の竪方向断面を示している。穴１３の内径Ｄは、ピストンバー１０の外径ｄより大きく、それによりストッパー８ａ、８ｂ、８ｃ（例えば頭付きピン）が貫通できるリング状空間１４がストッパーホルダーＡの中にできる。加えてこの図は、事前に設定した位置７以下にあるストッパー８ａ、８ｂ、８ｃを示しており、それがピストンバー１０にある反対ストッパー１１と共に位置決めできる。反対ストッパー１１にはお互いに反対方向を向く２つの面１１ａ、１１ｂがあり、この場合には、これはピストンバーに固定されているリング状ディスクの形状で構成している。ネジ止めしたプレートの直径は、ストッパーホルダーＡの軸方向穴１３の内径Ｄより僅かに小さい。事前に設定した位置、すなわち穴７、７’、７”以下は、ストッパーホルダーＡの全断面に亘って貫通するように構成している。ストッパー８ａ、８ｂ、８ｃを使った状態では、これがストッパーホルダーＡ全体を貫通している。そして穴が両端でストッパー８ａ、８ｂ、８ｃのガイドを保証する。ピン、ニードル、あるいは類似のものの形態で構成するストッパー８ａ、８ｂ、８ｃの正確な案内が、ガイドバー６を正しい位置決め調整を確実にしている。
【００２３】
図２ｂで分かるストッパー８ａ、８ｂは作動位置すなわち反対ストッパー１１のストロール経路にあり、他方、ストッパー８ｃはストローク経路外にあって予備態勢にある。ストッパー８ｃは、ストッパーホルダーＡに直角にネジ止めされたシリンダーハウジング８ｃ’の中で軸方向に動けるように案内されており、これと一緒で機能しミニチュア仕様で両方向に働くエアシリンダーを形成している、すなわち、調整用駆動装置２と同様に公知の方法で、図示していない制御装置や電磁バルブにより、プログラム制御して交互に圧搾空気を使ってこのストッパーを動かし、それにより反対方向にもストロークさせることができる。
【００２４】
お互いに反対方向を向く反対ストッパーの二つのストッパー面１１ａ、１１ｂのいずれかが、作動位置で選択的に当たるようにできるので、図示している３つのストッパーだけで、合計で４つの異なった事前に決めたガイドバー設定が、手動でストッパーを交換することなしに可能である。
【００２５】
図３は、図２ａ、２ｂで図示しているシリンダー本体９に設けたストッパーホルダーＡを、Ｘ方向から見て図示した側面図である。ストッパーホルダーＡの内部にある軸方向穴１３およびピストンバー１０によりできるリング状空間１４がわかる。外観図において、一つには既に記述しているストッパーホルダーＡの６角形状と、他方では、事前に設定しており貫通穴の形状で構成する位置７、７'、７''以下の本体全体を貫通する構成がわかる。挿入した状態でストッパー８ａ、８ｂ、８ｃは、その長手方向に直角にリング状空間１４を貫通し、反対ストッパー１１によりストローク移動時に位置を決めることができる。
（実施例２）
【００２６】
図４は図１で図示したガイドバー調整の別の実施例を示しており、図１では高さ調整を手動で行っているが、図示している別の実施例では、異なった高さのボトルに対するガイドバー高さ位置調整を、少なくとも部分的に自動化した形態で実施することを可能にする。ガイドバー６が付いており水平で移送方向に直角に行う調整を可能にする調整用駆動装置２が、それぞれスライド部材２１に固定されており、その部材は竪方向支柱５に沿って軸方向に移動できるように案内されている。スライド部材２１には水平に延伸する枝部のあるＬ字型金具があり、それに、竪方向すなわち竪方向支柱が延伸する方向に平行に設けられた調整用駆動装置２’のピストンバーが固定されている。図１から図３での調整用駆動装置２と構造的に同じように、この調整用駆動装置２’を実施することもある。図３では、ストッパーホルダーおよび元々のシリンダーを、６角材料から一体でつくった構成としている。ボトル軸の長手方向にガイドバーを調整するときには、ボトル軸に直角な方向での調整長さより大きな範囲を必要とする可能性があり、場合によって調整用駆動装置２’は、より大きな最大調整長さを持たせることがある、すなわち調整用駆動装置２’を全体としてより長く設計し、ストッパーを挿入するために、相当して多くの事前に設定した調整位置７．．．７'''を設けることがある。このストッパーは図２ｂと同様に、手動で挿入するピンまたは類似のもの、および／またはミニチュアシリンダーの形態でリモコン操作できるストッパー、マグネットまたはその他のモーター駆動形態で操作できるストッパーで構成することができ、それにより、コンベア装置全体のガイドバー６の高さだけでなく横方向位置も、ボトルの種類を変えるときに集中制御位置から、特に手間をかけず迅速で同時に調整することが可能となる。そのとき、調整用駆動装置２と２’だけでなくリモコン可能なストッパー（ミニチュアシリンダー８ｃ）をも正しい操作順で制御できる。このために、遠隔から操作できるエアバルブを設けることがある。しかし、集中制御をメモリーによるプログラムが可能な制御とすれば殊に有利であり、一度だけは入力せねばならないが、そのプログラムメモリーで各ボトルの種類に対し、種類選択スイッチまたは同等のもので呼び出すことができる切り替えプログラムを用意して、その後は切り替え操作を自動的に行うことができる。
【図面の簡単な説明】
【００２７】
【図１】エアコンベアの竪方向断面図。
【図２ａ】ストッパーホルダーの付いた調整シリンダー。
【図２ｂ】図２ａでの位置決め用ストッパー付き調整シリンダーの長手方向竪断面図。
【図３】図２ｂでＸ方向から見たストッパーホルダーの側面図。
【図４】高さ調整可能なガイドバーの付いたエアコンベアの竪方向断面図。
【符号の説明】
【００２８】
１      エアコンベア
２、２'  調整用駆動装置
３      エアガイドボックス
４      ノズルチャネル
５      竪方向支柱
６      ガイドバー
７、７'、７"  事前に設定した位置
８ａ、８ｂ、８ｃ  ストッパー
９      シリンダー本体
１０      ピストンバー
１１      反対ストッパー
１２      芯だし用突起
１３      穴
１４      リング状空間
１５      スライド縁
１６      ボトル（製品）
１７      保持リング
１８      フランジプレート
１９      固定用穴
２０      固定用金具
２１      スライド部材
Ａ        ストッパーホルダー
Ｓ        調整可能範囲
Ｚ        シリンダー要素
【図１】
2006525926.tif 000003
2006525926.tif 000004
【図３】
2006525926.tif 000005
2006525926.tif 000006
【図４】
2006525926.tif 000007
【国際調査報告】
2006525926.tif 000008
2006525926.tif 000009
2006525926.tif 000010
2006525926.tif 000011